(57)【要約】【課題】菓子製品又は医薬品を分配するシステムを提供する。【解決手段】錠剤や菓子などを分配するシステム及び方法は、機械的特性において多様な２つの層からなる複合フィルムに捕捉し、ドアを有するキャップ又はトラップを少なくとも有する容器に摺動して挿入し、複数のステップでフィルムを引っ張る機構を有し、上述の菓子等を引っ張り且つより耐性を有する層の複合フィルムを回収するようにトレーリングされたフィルムに応力を適用し且つ破断させるパス・ノー・パス装置を有する。【選択図】図１
2007161260.tif 000002
【特許請求の範囲】
【請求項１】
キャップ又はタップを設けたボックス又は容器（Ｉ．ＣＣ）から、砂糖菓子、チョコレート、菓子、トローチ、ピル、錠剤又はこれらに類する形態の固形製品を、一つずつ、運搬・移動部材に捕捉して単一で分配又は送達するシステムであって：
運搬部材として、厚み、処置及び／又は機械的耐性なる多様性を有する少なくとも２つの層の複合フィルムと；
ボックス又は容器（ＩＣＣ）として、小型の開閉ドア（Ａ−Ｃ）及びトレーリング機構（ＩＩＩ  ＭＴ）を有するタップ（ＩＩ  Ｔ）を適用された少なくとも１つの開口側を有する平行六角形又は円筒体と；
を有し、
前記トレーリング機構には、分配するように一連の前記固形製品の最終品を埋め込んだ前記複合フィルムのネックレス（ＣＯＬ）の最終的なピースの自由端部又はボーダー（ＬＥ）が引っかけられることを特徴とするシステム。
【請求項２】
前記複合フィルム又はシート（ＦＦ）は、遠心力に対する耐性が減少され、及び／又は厚みが減少された濃縮領域により機械的に処理され、且つ弱体化された破断シート（ＰａＲ）と、厚みを有する引っ張りシート（ＰＳＴ）とを有することを特徴とする請求項１に記載のシステム。
【請求項３】
前記破断シート及び前記引っ張りシートは、ポリエステル（ＰＥＴ）層、アルミニウム（Ａｌｌ）層及び特にポリエステル又はポリプロピレンのポリオレフィン層を少なくとも有する積層体の群から選択されることを特徴とする請求項２に記載のシステム。
【請求項４】
前記のフィルムの厚みの範囲は、前記ＰＥＴに関して１９μｍ以上２３μｍ以下、前記Ａｌｌに関して７μｍ以上２５μｍ以下、及び前記のポリオレフィンに関して２０μｍ以上２５μｍ以下であり、前記破断フィルム（ＰａＲ）において、該層の厚みは、前記ＰＥＴに関して５μｍ以上１２μｍ以下、前記Ａｌｌに関して６μｍ以上８μｍ以下、及び前記ポリオレフィンに関して１５μｍ以上２５μｍ以下の範囲であることを特徴とする請求項３に記載のシステム。
【請求項５】
相当量のガスバリアを必要としないカプセル化された製品において、金属層を有さず、前記ＰａＲは、約３５μｍの厚みを有するポリオレフィンの単一フィルムで置換されていることを特徴とする請求項４に記載のシステム。
【請求項６】
前記キャップ又はタップは、前記ボックスの開口部の中央部分に実質的に結合して挿入され、
関連する小型のドアスナップは、前記開口部の左側を閉口し、
前記引っ張り機構は、前記開口部の反対側に載置され、且つ従来のたばこライターのように人間工学的に活性化されるようにタップの自由端部の側面から若干突出することを特徴とする請求項１に記載のシステム。
【請求項７】
前記ボックスの壁上にフック／開放部材からなる幼児用の防御機構をさらに有し、
一時的に押し下げられた際、前記部材を開放するキーで制御され、
平行六角形の移動により、又は円筒ボックスの場合には回転により、この前段階ではアクセス可能ではなかった引っ張り機構をタップの上方に露出することを可能としていることを特徴とする請求項１乃至６のいずれか一項に記載のシステム。
【請求項８】
前記タップの下部の壁及び前記ボックスの下部の突出する壁により形成されるパス・ノー・パス機構をさらに有し、
これらの壁は、前記ボックスの壁に対して６０°未満の角度を形成し、実質的に配列し、コートされた錠剤の円形セクターの径に対応した長さにおいて前面側を有するように面取りされ、
前記セクターは、分配機の全周の２０％未満であることを特徴とする請求項１乃至７のいずれか一項に記載のシステム。
【請求項９】
ピル、錠剤又は菓子のタイプの防御され且つ移動可能な製品を容器から取り出すシステムを実施する方法であって：
厚み、脆弱性、並びに引張ストレスの応力及び破断に対する耐性なる多様性を有する２つのフィルムを調製するステップと；
厚みと耐性とを示す前記のフィルムのホール及び／又はノッチを作製するステップと；
主要な厚みと耐性とを有する別の前記フィルムに卵形の準シートを作製するステップと；
好ましく成形により、一つのフィルムを他のフィルムに接着するステップと；
カプセル化された前記製品の連続したネックレスを作製するステップであって、該ネックレスは、前記の２つのフィルムを重ね合わせ成形して得られる、ステップと；
少なくとも一つの開閉手段（ＩＩ）と、より耐性を有し厚みを有するフィルムを好ましく収集／回収するトレーリング手段とを有する容器体（Ｉ）に、前記ネックレスを連続して挿入するステップと；
前記ネックレスの内自由端部又はボーダーの一つを前記トレーリング手段に適用するステップと；
前記ネックレスをトレーリングする第一フェーズと、カプセル化された製品をパス・ノー・パス装置の少なくとも２つのショルダーに接触させる第二フェーズとを少なくとも実行する複数のステップ、特に４つのステップで、前記トレーリング手段に作用させるステップと；
前記の製品の抽出に適当な開口部を得るように、弱体化されたフィルムの破断までさらに運搬して、前記の接触に応力を適用する第３フェーズと；
を有することを特徴とする方法。
【発明の詳細な説明】
【技術分野】
【０００１】
本発明は、少ない容量の錠剤、トローチ、菓子製品、ピル及び固形の医薬品並びにこれらに類するカプセル製品をひとつずつ分配するシステムに関する。
【０００２】
このシステムは：１）容器手段；２）製品を運搬するトラップ（カプセル化）手段；３）上記の容器手段の開閉手段；４）上述のカプセル化及び運搬手段の部分破断手段；５）手段２）を中止させ、カプセル化された単一の製品を排出する手段を少なくとも有する。
【０００３】
特に、簡単で、コンパクトで、効果的な実施例において、本発明によるシステムは、円柱又は平行六面体のケース又はボックスを有する。このボックスは、多機能性タップ３）に少なくとも近接した１つの側面で少なくとも開口する。そこでは、ボックスは、製品を単一で分配して埋め込むように互いに成形された、多様性を有する少なくとも２つの実質的に熱可塑性のフィルム又はシートで形成されたストリップ又はネックレス（２）が導入される。シートを形成する上述のネックレスの一つは、多機能性タップ（３）に関連した部材と、上述のネックレスのトレーリング（ｔｒａｉｌｉｎｇ）装置の支持体としても作用する上述の容器の内部に突出する壁とで協調して得られるパス・ノー・パス装置（ｐａｓｓ−ｎｏ−ｐａｓｓ  ｄｅｖｉｃｅ）を横切る方向で破断される。
【０００４】
本発明は、上述のシステムを機能的に具体化する方法にも関する。多様性を有する２つのフィルム間に上述のカプセル、錠剤及び菓子製品並びにこれらに類するものを埋め込みこれらを（接着逢い及び／又はシールで）一体化するステップと、使用者の手動での操作を可能とするように、上述のストリップ又はネックレスの境界又は端部を、ボックスの中央でない部位に配置され支持された引っ張り装置に固定するステップと、開閉ドアに関連付けるステップと、を行った後、ｉ）複合的なフィルムのトレーリング位相（ｐｈａｓｅ、以下同様）と；ｉｉ）トローチの容器の副部分（ｍｉｎｏｒ  ｓｅｃｔｏｒ）と、関連する要素で形成されたパス・ノー・パス機構の小領域の２つとを、一つの側面で上述のタップに接触させ、他の側面で上述のボックスに接触させる位相と；ｉｉｉ）弱いフィルムを排除するように破断し、関連するカプセルをユーザーに分配する位相と；を実現し得る。
【背景技術】
【０００５】
錠剤分配機及びシステムは、公知であって、市販されており、以下の群から選択された要素を単独又は組み合わせて、有する。つまり、この要素は、ボックス；タップ（小型の開閉ドアを有するものもある）；錠剤埋め込み及び運搬手段；トレーリング手段；並びに中止手段；を有する。
【０００６】
特許文献１は、上部が開口したボックスと、互いに離れて配列された２つのトング（ｔｏｎｇｕｅ）を有する放出閉鎖要素とからなる錠剤分配機を開示する。特許文献２は、小型の固形の製品、特にトローチやこれに類するものの小型の押し上げ蓋を有する容器を開示し、これは、１つのスナップ式ドアのみからなる閉鎖部を有する。特許文献３では、錠剤は、プラスティック製の区画分けされたフィルム又はリーフ様ストリップで運搬されたカプセル又はシェルに密閉して包含される。
【０００７】
特許文献４は、主としてブリスターに関する。
【０００８】
特許文献５（対応米国出願は、特許文献６）は、糖でコートした錠剤の分配機を開示し、これは、収納スペースと錠剤の形態及びサイズに適合したＵ字型のスペースとを有する容器ボックス体と；複合傾斜キャップと；一致するキャビティーのペアと；を有する。
【０００９】
これら分配機に係る「特許が立て込んだ分野」に関する変化に富む概観は、分配機構の補助を伴った異なる容量での医療用製品を分配する技術に関連する最近の特許文献７を参照することで、完結され得る。これは、薬剤キャリアの受容手段と；服用分を放出する手段と；出口と；服用索引付け手段と；計数手段と；を有する。
【００１０】
種々の利点に関連する先行技術における分配機は、いくつかの不便さを有し、これにより、市場において、これらの分配機を限定した地位へと押しやり、或いは制限してきた。
【特許文献１】米国特許第４，１６３，４９６号明細書
【特許文献２】米国特許第４，５３８，７３１号明細書
【特許文献３】米国特許第４，７３３，７９７号明細書
【特許文献４】米国特許第６，１５５，４５４号明細書
【特許文献５】欧州特許第１２６２４２２Ａ２号明細書
【特許文献６】米国特許出願公開第２００２／０１６６８６９Ａ１号明細書
【特許文献７】国際公開第２００４／００９４７０Ａ２号パンフレット
【発明の開示】
【発明が解決しようとする課題】
【００１１】
本発明は、先行技術における問題を示さない、菓子製品又は医薬品を分配するシステムを提供することを目的とし、これらは、簡単で、効果的で、静かで、制御するのに簡便である。
【００１２】
また、本発明は、上述の錠剤をカプセル化し運搬する手段を容易に中止することにより、単一の錠剤形態の製品を標準的に分配することを容易に達成するため、上述のシステムを管理し、及び操作する方法を提供することを目的とする。
【課題を解決するための手段】
【００１３】
ボックス又は容器Ｉ．ＣＣから、キャンディー、チョコレート、糖などでコートされたピル、トローチ、カプセル及び錠剤並びにこれらに類する形状を有する固形の製品を単一（ひとつずつ）で分配し、支持及び運搬部材に捕捉される本発明によるシステムは、キャリア部材として、厚み、処理及び／又は機械抵抗の異なる少なくとも２つの層の複合フィルム（ＩＶ  Ｃｏｌ）と；ボックス又は容器（Ｉ．ＣＣ）として、小型の開口部を有するタップ（ＩＩ  Ｔ）が適用された少なくとも１つの開口側を有する平行六面体又は円筒体と；を有し、閉口ドア（Ａ−Ｃ）とトレーリング機構（ＩＩＩ  ＭＴ）とを有し、これに、分配される上述の固形の製品（ＣＡ、ＰＭ）の限定されたシリーズを埋め込んだ上述の複合フィルムのネックレス（ＣＯＬ）の最終的な断片の自由端部又は境界（ＬＥ）が引っかけられる。
【００１４】
本発明による方法の発明は：
ピル、錠剤又は菓子のタイプの防御され且つ移動可能な製品を容器から取り出すシステムを実施する方法であって：
厚み、脆弱性、並びに引張ストレスの応力及び破断に対する耐性なる多様性を有する２つのフィルムを調製するステップと；
厚みと耐性とを示す前記のフィルムのホール及び／又はノッチを作製するステップと；
主要な厚みと耐性とを有する別の前記フィルムに卵形の準シートを作製するステップと；
好ましく成形により、一つのフィルムを他のフィルムに接着するステップと；
カプセル化された前記製品の連続したネックレスを作製するステップであって、該ネックレスは、前記の２つのフィルムを重ね合わせ成形して得られる、ステップと；
少なくとも一つの開閉手段（ＩＩ）と、より耐性を有し厚みを有するフィルムを好ましく収集／回収するトレーリング手段とを有する容器体（Ｉ）に、前記ネックレスを連続して挿入するステップと；
前記ネックレスの内自由端部又はボーダーの一つを前記トレーリング手段に適用するステップと；
前記ネックレスをトレーリングする第一フェーズと、カプセル化された製品をパス・ノー・パス装置の少なくとも２つのショルダーに接触させる第二フェーズとを少なくとも実行する複数のステップ、特に４つのステップで、前記トレーリング手段に作用させるステップと；
前記の製品の抽出に適当な開口部を得るように、弱体化されたフィルムの破断までさらに運搬して、前記の接触に応力を適用する第３フェーズと；
を有する方法である。
【００１５】
さらなる特徴は、添付した特許請求の範囲に記載する通りである。
【００１６】
本発明の種々の特徴及び利点は、この明細書、特許請求の範囲及び図面により、より良好に理解される。
【発明の効果】
【００１７】
錠剤の形態の製品を効率よく分配する。
【発明を実施するための最良の形態】
【００１８】
図面、特に図１並びに関連する前面図である図２及び図３は、本発明による分配システムを示しており、これは、本質的に：Ｉ）容器体ＣＣ；ＩＩ）閉口部材又はタップ；ＩＩＩ）トレーリング（牽引）機構ＭＴ；及びＩＶ）例えば、錠剤、甘味量など分配する製品のキャリアである収集器；とを本質的に有する。
【００１９】
容器Ｉ．ＣＣは、図１、図２、図３、図８、図１０、図１１、図１２、図１３、図１４、図１５に示すように多角形（特に、方形、正方形、台形など）であってもよく、また、円形、特に、円形や楕円形などの断面を有してもよい。
【００２０】
これら容器体又はボックスＩ．ＣＣは、５Ｒ、５’Ｒなどの多角形の側面壁又は円筒形の壁５Ｃと好ましく一体化された閉口した底部１２を有する。
【００２１】
容器Ｉ．ＣＣの上部（上述の多角形又は円筒形の断面から独立したもの）は、実質的に閉口した部分又はタップＴを有するトレイ／牽引機構ＩＩと、及びタップＴの内端部と一致した明瞭線ＬＡ（ａｒｔｉｃｕｌａｔｉｏｎ  ｌｉｎｅ）の周囲を回転可能で他端が自由端部である小型のドアＳＰＯを有する開閉部分Ａ−Ｃとに関連づけられるように開口している。Ａ−Ｃの明瞭化された部分は、容器又はボックスＩの口ＢＯをシール／閉口するように明瞭化された部分Ａ−Ｃが降下されタップＴの静止部分と配列される際、その端部において、壁５’Ｒの上端部２０に結合して関連付けられるような形状とされた傾斜口Ｚで終了する。
【００２２】
開閉ドアＳＰＯを有する上述の回転可能部分Ａ−Ｃが右周りに上部に回転されると（図１）、キャンディーＣＡ（図２）又は医療用錠剤ＰＭの出口用の口ＢＯを形成する；従って、明瞭線ＬＡから隆起ＺまでのＡ−ＣのドアＳＰＯの長さは、分配される製品の主長よりも若干高い斜線の曲線２１（開口位置から閉鎖位置までのＺのストローク）で示す仮想の半径に対応するようになる。
【００２３】
特徴的には、多角形ボックスの右側壁５Ｒ（図２）又は円筒ボックスの壁５Ｃ（図３）は、左側壁５Ｒ又は５Ｒ’より短く、且つ第３の突起壁２３の内端部を係合する下端部２９において、及びタップＴの内端部における角４０と短い壁５Ｒ、５Ｃのチャンファー２８との間の適合接続器３０を係合する上部分２８において厚部分２０’だけ上方に高い端部よりも短い。
【００２４】
この適合接続器は、２つのスプロケットホイール３、３’が係合される端部において、トレーリング機構ＭＴのロッド１の支持体としても機能する。図６及び図７から明らかなように、ロッド１は、適合接続器３０の２つの向かい合う壁の内部に好ましく作られる「一時的な」シート（図示せず）に摺動する突起２、２’（図４及び図５）を有する歯を有するホイールを若干越えて突出する。ロッド１は、スロット１’を好ましく有し、スロット１’の内部には、トローチを埋め込む複合シートＦＦ，ＦＦ’の内端部においてボーダーＬＥを摺動する。図６は、主長Ｌを有する砂糖菓子又はキャンディーの場合を示し、本発明の場合、多様な機械的特性を有する２つの実質的に熱可塑性のシートＰａＲ，ＰＳＴ間に埋め込まれる：上部の容易に崩壊するシート（ＰａＲ）は、小さいホールＢＵ及び／又は彫込部ＩＮのシリーズであってもよく；下部のシートＰＳＴは、ＰａＲよりも抵抗性（より分厚く及び／又は弱体化されていない）を有し、トレーラー（ｔｒａｉｌｅｒ）として機能する。砂糖菓子ＣＡがひとたびこの２つのシートＰａＲ及びＰＳＴ間に捕捉されると、このシートは、（成形又は接着剤などで）一体化され、カプセル及びキャンディーＣＡを包含する２層フィルムＦＦを形成する。図６の場合、この２つのシートＰａＲ及びＰＳＴは、砂糖菓子ＣＡの主長よりも小さい幅ＬＡを有してもよく、端部でカバーされる：事実、砂糖菓子、キャンディ、トローチなどは、全体的に覆われ且つ全体的に防御される必要はない。
【００２５】
図７は、錠剤ＰＭの場合を示しており、径ＤＭで丸められて（ｒｏｕｎｄ）おり、この径ＤＭよりも若干大きい幅ＬＡ’を有する２つのシートＰａＲ（彫込部ＩＮ）及びＰＳＴ（弱体化されていないもの）との間に挿入される。これにより、製品ＰＭは、２層フィルムＦＦ’を形成して２つのフィルムに成形された際に全体的にカバーされ、且つ防御される。
【００２６】
キャンディーＣＡ又は錠剤ＰＭの距離であるピッチは、これらの重量及び寸法に実質的に依存する。上述の第３の壁２３は、２つのスプロケットホイール３、３’の間に挿入されることにより戻らない装置として機能する小型の歯２３’を示す。
【００２７】
砂糖菓子やキャンディーなどの医療用でない製品の場合、下述の範囲の厚みを有するポリエステル（ＰＥＴ）−アルミニウム（Ａｌｌ）−ポリエチレン（ＰＥ）の積層体からなる下部のトレーリングフィルムＰＳＴで、適切な結果が得られる。
【００２８】
ＰＥＴ  １９〜２３、接着剤（ＡＤ）−Ａｌｌ  ７〜２５、接着剤ＰＥ  ２０〜２５
バリアを有さない場合、Ａｌｌシートは、無くてもよい。上部フィルムＰａＲは有利に利用されるので、三重の積層体は：
ＰＥＴ  ５〜２２、（ＡＤ）−Ａｌｌ  ７−（ＡＤ）−ＰＥ  ２０〜２５
である。ここで、ガスバリアを必要としない場合、金属フィルムは、無くてもよく、代替的に好ましく添加物を有し、或いはＰＥ層の表面のみに好ましく適用されるか、ＰＥフィルム及びＰＥＴフィルムの両方に適用される装飾的なカットで処理された約３５μｍの厚みを有する単層のポリオレフィンフィルムを用いてもよい。
【００２９】
図８は、方形断面のボックスＩ．ＣＣを有する分配機の斜視図であって、図９では、円筒形のボックス５Ｃを示しており、トレーリング機構ＭＴ並びに開閉手段Ｔ、Ａ−Ｃ及びＳＰＯは共通である。
【００３０】
図１０及び図１１（斜視図）、図１２及び図１３（上面図）並びに図１４及び図１５（正面図）は、図１、図２及び図３で示した分配機に、中央ウィンドウＦを有し開閉ドアＡ−Ｃ、ＳＰＯを伴ったオーバータップＳＴから実質的になる幼児を守る装置を追加で設けた分配機を示す。
【００３１】
典型的に、体部ＳＴ−ＡＣ−ＳＰＯは、図１０、図１２及び図１４の初期の位置から移動され且つ通過されてもよく、この体部は、２つの側方キー６０’’及び６１’’に関連づけられた複数の歯、特に６０及び６１並びにドアＡ−Ｃに関連づけられた６３の作用の下で停止される。分配し、又は分布するのに通過させるため、２つの側方キー６０’’、６１’’は、矢印６３’の方向にプレスされ、歯６３は、矢印６３’の方向にドアＡ−Ｃを持ち上げることにより、開放され、これにより、中央ウィンドウＦを伴ったオーバータップＳＴの全体は、図１２のコンパクトな位置から、一端が飛び出した位置７１に平行移動されてもよく、ここで、小型の中央ウィンドウＦは、位置６３’’でドアＡ−Ｃを部分的に持ち上げることにより、前の段階では見えず、つまり、内部壁ＭＴで見えなくなっており、医療用ピルＰＭの出口マウスで防御されており、このマウスは、自由となり、同時に、上述の小型の歯を有するホイールＲ１及びＲ２は、（７０の位置ではアクセス可能ではなく）、アクセス可能となっており、従来のたばこ用ライターのように、非常に自然な動きで、矢印６８の方向への人間工学的な動作が可能となる。
【００３２】
図１６は、円筒形の容器に関連づけられた幼児を防御する装置を示しており、ここで、３つのキーＴ１、Ｔ２、Ｔ３は、関連づけられた歯を開放するように押し下げられ、オーバータップＳＴは、矢印６９の方向に回転され、これにより、分配マウスは、自由となり、上述の歯を有するホイール（最初は隠れていたもの）は、アクセス可能となる。この作用は、多角形の容器においても実質的に同様である。
【００３３】
図２２、図２３及び図２４（正面図）では、以下のステップを拡大スケールで示す。つまり：
Ｉ）複合シートＰａＲ及びＰＳＴをトレーリング機構ＭＴの動作の下に摺動するステップと；
ＩＩ）コートされた錠剤ＰＭを、タップ要素Ｔの少なくとも２つの地点３６、３６’で、ボックスＩ．ＣＣの一端が跳ね上げられた第３の壁２３と接触させるステップと；
ＩＩＩ）上述の地点３６、３６’における矢印Ｘ、Ｙ方向への張力を負荷された接触効果とトレーリング機構ＭＴの連続したトレーリング作用との下、破断と口ＢＯを介した錠剤ＰＭの排出とを生じさせる矢印Ｚ方向への応力を作用させて上部フィルムＰａＲを破断させるステップと；
を有する。
【００３４】
特徴的に、パス・ノー・パス装置Ｐ−Ｎ−Ｐは、３４から３５へと延びるタップＴの３１の側面（又は傾斜されたチャンファー）と上述の突出する壁２３の２７から３８へと延びる３２’とにより形成される。なお、このチャンファー又は傾斜は、錠剤ＰＭ（又はＣＡ）の寸法、重量及び堅さ（ｃｏｎｓｉｓｔｅｎｃｙ）に応じて、相互に配列され、或いは１５°未満の角度を形成する。上述の接触地点３６、３６’では、上述のチャンファー３４、３５及び３６、３６’に対して矢印Ｘ、Ｙの方向に圧力をかけ、且つ上述の厚みを有するトレーリングフィルムＰＳＴに損傷を与えることなく、ＰａＲの断裂及び錠剤ＰＭの排出を生じさせる円周方向の応力（矢印Ｚで表示）を発生する。
【００３５】
図２５のブロック図において、符号８０は、基礎フィルムのボビンを示し、これは、破断したシートＰａＲをブロック８２へと取り出すように８１において処理され、ボビン８０’から上述の厚みを有するトーシートＰＳＴが到着し、ホッパー８５からキャンディーＣＡ又は錠剤ＰＭが到着し、ＰＳＴにおいて注意深く引き出され、シートＰａＲがカバーされ８１’において処置８１から出口へと至る。８４では、錠剤ＣＡ又はＰＭとＰＳＴとで形成されたＰａＲのパッケージが成形され、複合シートＦＦ（又はＦＦ’）は、容器Ｉ．ＣＣ及びパス・ノー・パスＰＮＰで挿入され、そのボーダーＬＥでトー機構Ｍのロッド１のスリットに係合される。この最後の機構は、複数のステップ、好ましくは３つのステップで第１の摺動トー（ｓｌｉｄｉｎｇ  ｔｏｗ）を実行する。なお、この３つのステップとは、８５において、複合シートＦＦの第１の摺動・引っ張りを行うステップ（ステップＩ）と、８６において、複合シートＦＦに埋め込まれた錠剤ＰＭ（又はＣＡ）を連続して、パス・ノー・パスＰＮＰと少なくとも２つの位置で接触させるように行う第２の引っ張りステップ（ステップＩＩ）と、８７において、より弱いフィルムＰａＲを破断させるまで、複合シートＦＦに対して外見的に放射状に負荷を与えるような様式で錠剤に応力をかける第３の引っ張るステップ（ステップＩＩＩ）とからなる。
【００３６】
出口８７において、フリーとなった錠剤８３又はカプセルＣＡ又はＰＭと；破断されたシートＰａＲの残余８１’’と；８０’で再度巻き取られステーション８２にリサイクルされる上述の（破断されていない）厚みを有するトーシートＰＳＴと；が集積される。
【００３７】
以上の通り、本発明について、添付した図面に示した実施例を参照しながら述べてきたが、当業者によりなされる全ての改変は、本発明の範囲及び精神に自然に包含されるものと解し得る。
【図面の簡単な説明】
【００３８】
【図１】本発明による一実施例の概略的斜視図である。
【図２】正面図である。
【図３】正面図である。
【図４】トレーリング機構を示す斜視図である。
【図５】トレーリング機構を示す斜視図である。
【図６】本発明による一実施例の概略的斜視図である。
【図７】本発明による一実施例の概略的斜視図である。
【図８】本発明による一実施例の概略的斜視図である。
【図９】本発明による一実施例の概略的斜視図である。
【図１０】本発明による一実施例の概略的斜視図である。
【図１１】本発明による一実施例の概略的斜視図である。
【図１２】上面図である。
【図１３】上面図である。
【図１４】正面図である。
【図１５】正面図である。
【図１６】本発明による一実施例の概略的斜視図である。
【図１７】本発明による一実施例の概略的斜視図である。
【図１８】上面図である。
【図１９】上面図である。
【図２０】正面図である。
【図２１】正面図である。
【図２２】３つの作業位相におけるパス・ノー・パス機構の拡大縮尺での正面図である。
【図２３】３つの作業位相におけるパス・ノー・パス機構の拡大縮尺での正面図である。
【図２４】３つの作業位相におけるパス・ノー・パス機構の拡大縮尺での正面図である。
【図２５】本発明の方法に関する実施例のブロック図である。
【符号の説明】
【００３９】
１              ロッド
１’            スロット
２              突起
２’            突起
３              スプロケットホイール
３’            スプロケットホイール
５Ｃ            壁
５Ｒ            壁
５’Ｒ          壁
１２            底部
２０            上端部
２１            曲線
２３            壁
２３’          歯
２０’          厚部分
２８            チャンファー
２９            下端部
３０            適合接続器
３６            地点
３６’          地点
４０            角
６０’’        側方キー
６１’’        側方キー
６３            歯
６３’          矢印
６３’’        位置
６８            矢印
６９            矢印
７１            位置
８０            ボビン
８０’          ボビン
８１            処置
８１’’        残余
８２            ブロック
８３            錠剤
８５            ホッパー
８７            出口
Ａ−Ｃ          閉口ドア
ＢＯ            口
ＢＵ            ホール
ＣＡ            キャンディー
ＣＣ            容器体
ＤＭ            径
Ｆ              中央ウィンドウ
ＦＦ            複合シート
ＦＦ’          複合シート
ＩＮ            彫込部
Ｌ              主長
ＬＡ            明瞭線
ＬＡ’          幅
ＬＥ            ボーダー
Ｍ              トー機構
ＭＴ            トレーリング機構
ＰａＲ          熱可塑性シート
ＰＭ            錠剤
ＰＮＰ          パス・ノー・パス
ＰＳＴ          熱可塑性シート
Ｒ１            ホイール
Ｒ２            ホイール
ＳＰＯ          ドア
ＳＴ            オーバータップ
Ｔ              タップ
Ｔ１            キー
Ｔ２            キー
Ｔ３            キー
Ｘ              矢印
Ｙ              矢印
Ｚ              傾斜口
Ｉ              ボックス
Ｉ．ＣＣ        容器
ＩＩ            牽引機構
ＩＶ  ＣＯＬ    複合フィルム
【図１】
2007161260.tif 000003
【図２】
2007161260.tif 000004
【図３】
2007161260.tif 000005
【図４】
2007161260.tif 000006
【図５】
2007161260.tif 000007
【図６】
2007161260.tif 000008
【図７】
2007161260.tif 000009
【図８】
2007161260.tif 000010
【図９】
2007161260.tif 000011
【図１０】
2007161260.tif 000012
【図１１】
2007161260.tif 000013
【図１２】
2007161260.tif 000014
【図１３】
2007161260.tif 000015
【図１４】
2007161260.tif 000016
【図１５】
2007161260.tif 000017
【図１６】
2007161260.tif 000018
【図１７】
2007161260.tif 000019
【図１８】
2007161260.tif 000020
【図１９】
2007161260.tif 000021
【図２０】
2007161260.tif 000022
【図２１】
2007161260.tif 000023
【図２２】
2007161260.tif 000024
【図２３】
2007161260.tif 000025
【図２４】
2007161260.tif 000026
【図２５】
2007161260.tif 000027